(57)【要約】【課題】本発明はノートブックパソコンや小型薄型のビデオレコーダ等に使用されるコンパクトな小型薄型光ディスクドライブ装置であって、モータ駆動によるフルオートローディングを提供する。【解決手段】装置の片側にディスク駆動ユニットやトレーを保持する為の固定レール、可動レール、中間レールを有し、もう一方に固定レール、駆動レール、可動レールを有し、駆動レールのラック及び駆動レールに取り付けられているギアを通しローディングモータの力をディスク駆動ユニットやトレーに伝える様にした。【選択図】図５
2006040507.tif 000002
【特許請求の範囲】
【請求項１】
記録媒体としてのディスクに信号を記録し、又再生媒体としてのディスクの信号を再生する為のディスク駆動ユニットとディスク駆動ユニットをローディングする為のローディングモータとローディングモータの力を減速し駆動レールユニットに伝えるローディングギアユニットとディスク駆動ユニットを保持し且つローディングモータの力をディスク駆動ユニットへ伝える為の駆動レールユニットよりなる光ディスク装置
【請求項２】
記録媒体としてのディスクに信号を記録し、又再生媒体としてのディスクの信号を再生する為のディスク駆動ユニットとディスクを載せる為のトレーとトレーをローディングする為のローディングモータとローディングモータの力を減速し駆動レールユニットに伝えるローディングギアユニットとトレーを保持し且つローディングモータの力をトレーへ伝える為の駆動レールユニットとローディングモータの力によりローディングギアユニットを通してディスク駆動ユニットを上下動する機構を持つ光ディスク装置
【請求項３】
装置の奥行きを抑えながら片側にディスク駆動ユニットやトレーを保持する為の固定レール、可動レール、中間レールを有し、もう一方に固定レール、駆動レール、可動レールを有し、駆動レールのラック及び駆動レールに取り付けられているギアを通しローディングモータの力をディスク駆動ユニットやトレーに伝える構造を特徴とする上記請求項１，２の光ディスク装置
【発明の詳細な説明】
【発明の詳細な説明】
【技術分野】
【０００１】この発明はノートブックパソコンや小型薄型のビデオレコーダ等に使用されるコンパクトな光ディスクドライブ装置であって、ローディング方式は手動操作によらないモータ駆動によるフルオートローディングに関するものである。
【背景技術】
【０００２】従来のノートブックパソコン用等の小型薄型光ディスクドライブ装置はディスクを取り出したり装填する時は、ソレノイド等でロックレバーを外しバネによって少し押し出されたディスク駆動ユニットを手動操作によって引き出し、又手動によってロックレバーがロックされるまで押し入れなければならなく、不便で且つ商品価値を落とすものであった。【０００３】又、従来のデスクトップパソコン或いはビデオディスクレコーダ用の光ディスクドライブは、ディスクを取り出したり装填する時はトレーをモータによりディスクを載置できる所まで引き出し、押し入れる様になっている。しかしトレーは引き出された時でも本体に保持されなくてはならない為、本体の奥行きは最低ディスクの径プラストレーの保持長さが必要となり奥行きが非常に長くなるものであった。
【発明が解決しようとする課題】
【０００４】従来のノートパソコン用光ディスクドライブは装置を小型化する為に、ローディングはロックアームをソレノイド等で外した後手動操作により引き出し押入れを行っている為操作がしずらく商品価値を落としていた。
そこで、本発明は従来の小型化されたドライブサイズでありながらモータ駆動によるフルオートローディング機構を提供する事を目的とする。
【０００５】更に従来のトレー方式のフルオートローディング光ディスク装置はサイズが非常に大きい為、ノートパソコン等小型の装置には使用できなかった。これをノートパソコンや超小型薄型ビデオディスクレコーダ等で達成する事を目的とする。
【課題を解決する手段】
【０００６】請求項１の発明は記録媒体としてのディスクに信号を記録し、又再生媒体としてのディスクの信号を再生する為のディスク駆動ユニットとディスク駆動ユニットをローディングする為のローディングモータとローディングモータの力を減速し駆動レールユニットに伝えるローディングギアユニットとディスク駆動ユニットを保持し且つローディングモータの力をディスク駆動ユニットへ伝える為の駆動レールユニットよりなる光ディスク装置を提供するものである。
【０００７】請求項２の発明は記録媒体としてのディスクに信号を記録し、又再生媒体としてのディスクの信号を再生する為のディスク駆動ユニットとディスクを載せる為のトレーとトレーをローディングする為のローディングモータとローディングモータの力を減速し駆動レールユニットに伝えるローディングギアユニットとトレーを保持し且つローディングモータの力をトレーへ伝える為の駆動レールユニットとローディングモータの力によりローディングギアユニットを通してディスク駆動ユニットを上下動する機構を持つ光ディスク装置を提供するものである。
【０００８】請求項３の発明は装置の奥行きを抑えながら片側にディスク駆動ユニットやトレーを保持する為の固定レール、可動レール、中間レールを有し、もう一方に固定レール、駆動レール、可動レールを有し、駆動レールのラック及び駆動レールに取り付けられているギアを通しローディングモータの力をディスク駆動ユニットやトレーに伝える構造を特徴とする上記請求項１，２の光ディスク装置を提供するものである。
【発明を実施するための最良の形態】
【０００９】第１図〜第４図に本発明になる光ディスクドライブ装置の一実施例を示す。
この装置１はディスク２をターンテーブル５に固定し、ディスク２に記録されている信号を読み取り或いはディスク２に信号を記録する為のディスク駆動ユニット３とディスク駆動ユニット３をローディングする為のローディングモータ６とローディングモータの力を減速し駆動レールユニット８に伝えるローディングギアユニット７とディスク駆動ユニット３を保持し且つローディングモータ６の力をディスク駆動ユニット３に伝える為の駆動レールユニット８よりなる。【００１０】図１，２は本装置１の天板（図示せず）を外して、ディスク駆動ユニット３を引き出した状態を示し、図３はディスク駆動ユニット３を本装置１の中に収納した状態を示す。
ディスク駆動ユニット３にはスピンドルモータ（図示せず）が設けられており、ボール等でディスク２をクランプするターンテーブル５がスピンドルモータに取り付けられている。又、ディスク２の信号を読み取り、書き込む為のピックアップ１７が設けられている。
シャーシ４にはローディングモータ６、ローディングギアユニット７、駆動レールユニット８の固定レール８ａ、補助レールユニット９の固定レール９ａ、回路基板１０及びフレキシブル基板１１が固定されている。【００１１】そして図３のディスク駆動ユニット３が本装置１内に収納されている状態よりディスク２を本装置１より取出す時或いはディスク２をディスク駆動ユニット３に装填する時は、ベゼル１５に取り付けられているイジェクトスイッチ１６を押すとローディングモータ６が回転し、ローディングギアユニット７により減速駆動され、駆動レールユニット８の駆動レール８ｂのラックに力が伝わる。【００１２】図４はディスク駆動ユニット３を保持すると同時にローディングモータ６の力をディスク駆動ユニット３に伝える駆動レールユニット８を示す。
ギア８ｄは駆動レール８ｂに固定されているピン８ｅにより保持されている。
又、ギア８ｄは固定レール８ａのラック及び可動レール８ｃのラックに噛み合っている。その為駆動レール８ｂがＡ方向へ駆動されるとその倍の量可動レール８ｃがＡ方向へ駆動される。
尚、補助レールユニット９は、ディスク駆動ユニット３が、スムーズにＡ及びＢ方向に移動できる為のガイドになっている。【００１３】そして、図２に示す様にディスク駆動ユニット３がディスク２を取出し又は装填できる位置まで引き出された所で駆動レール８ｂからスイッチレバー１４を通してスイッチ１３が押されローディングモータ６はストップする。この状態ではディスク駆動ユニット３に固定されている可動レール８ｃはギアユニット７から完全に離れている為ローディングモータ６の力をディスク駆動ユニット３に伝えられない為、駆動レール８ｂのラック及びギア８ｄを通して可動レール８ｃに力を伝える構造となっている。【００１４】その状態でイジェクトスイッチ１６を押すかベゼル１５を押し込むとスイッチ１３が切れローディングモータ６が逆転しローディングギアユニット７及び駆動レールユニット８を通してディスク駆動ユニット３がＢ方向に駆動され本装置１の中に引き込まれる。そしてスイッチ１２がディスク駆動ユニット３により押されるとローディングモータ６は停止しディスク駆動ユニット３が本装置１内に収納される。【００１５】又、本発明の別案を図５〜図７に示す。
この装置１はディスク駆動ユニット１９とディスク２を載せる為のトレー１８とトレー１８をローディングする為のローディングモータ６とローディングモータの力を減速し駆動レールユニット８に伝えるローディングギアユニット７とトレー１８を保持し且つローディングモータ６の力をトレー１８に伝える為の駆動レールユニット８とローディングギアユニット７の力をディスク駆動ユニット１９に伝える為のレバー２０よりなる。【００１６】図５は本装置１の天板（図示せず）を外して、トレー１８を引き出した状態を示し、図６はトレー１８を本装置１の中に収納した状態を示す。
ディスク駆動ユニット１９にはスピンドルモータ（図示せず）が設けられており、クランパー２１によりディスク２をクランプするターンテーブル５がスピンドルモータ（図示せず）に取り付けられている。又、ディスク２の信号を読み取り、書き込む為のピックアップ１７が設けられている。
シャーシ４にはローディングモータ６、ローディングギアユニット７及び駆動レールユニット８の固定レール８ａ、補助レールユニット９の固定レール９ａ、回路基板１０が固定されている。【００１７】そして図６のトレー１８が本装置１内に収納されている状態よりディスク２を本装置１より取出す時或いはディスク２をディスク駆動ユニット１９に装填する時は、ベゼル１５に取り付けられているイジェクトスイッチ１６を押すとローディングモータ６が回転し、ローディングギアユニット７により減速駆動され、ローディングギアユニット７に固定されているピン７ｂによりレバー２０がＢ方向へ移動し、図７に示す様にレバーの溝２０ａに係合されているディスク駆動ユニット１９のピン１９ｂが軸１９ａを中心にＣ方向へ回動され、ターンテーブル５がクランパー２１から外され、ディスク２がトレー１８にセットされる。その間ローディングギアユニットの欠歯部７ａが駆動レール８ｂのラック部に対向している為ローディングギアユニット７の力は駆動レール８ｂに伝わらない為トレー１８は停止したままである。ディスク駆動ユニット１９がＣ方向へ回動し終わると、ローディングギアユニット７は欠歯部７ａからギア部に変り、ローディングギアユニット７の力は駆動レールユニット８の駆動レール８ｂのラックに力が伝わる。
尚、ローディングギアユニット７の最終段のギアは、上下にギアを備えており、上のギアは前段のギアと噛み合っており、下のギアには欠歯部７ａが有りギア部は駆動レール８ｂのラックに噛み合う様になっている。【００１８】図４はトレー１８を保持すると同時にローディングモータ６の力をトレー１８に伝える駆動レールユニット８を示す。
ギア８ｄは駆動レール８ｂに固定されているピン８ｅにより保持されている。
又、ギア８ｄは固定レール８ａのラック及び可動レール８ｃのラックに噛み合っている。その為駆動レール８ｂがＡ方向へ駆動されるとその倍の量可動レール８ｃがＡ方向へ駆動される。
尚、補助レールユニット９は、トレー１８が、スムーズにＡ及びＢ方向に移動できる為のガイドになっている。【００１９】そして、図５に示す様にトレー１８がディスク２を取出し又は装填できる位置まで引き出された所で駆動レール８ｂからスイッチレバー１４を通してスイッチ１３が押されローディングモータ６はストップする。この状態ではトレー１８に固定されている可動レール８ｃはギアユニット７から完全に離れている為ローディングモータ６の力をトレー１８に伝えられない為、駆動レール８ｂのラック及びギア８ｄを通して可動レール８ｃに力を伝える構造となっている。【００２０】その状態でイジェクトスイッチ１６を押すかベゼル１５を押し込むとスイッチ１３が切れローディングモータ６が逆転しローディングギアユニット７及び駆動レールユニット８を通してトレー１８がＢ方向に駆動され本装置１の中に引き込まれる。その後、ローディングギアユニット７のピン７ｂが回動し、レバー２０はレバースプリング（図示せず）によりＡ方向へ動かされ、レバーの溝２０ａに係合されているディスク駆動ユニット１９のピン１９ｂが軸１９ａを中心にＤ方向へ回動され、ターンテーブル５が移動する事によりクランパー２１とターンテーブル５によりディスク２がクランプされる。そしてディスク駆動ユニット１９が移動する事によりスイッチ１２が押されるとローディングモータ６は停止しディスク２のクランプが終了する。【００２１】尚、上記ギアユニット７は、ギアの組合せのみでなくベルトとギアの組合せでも良い。【００２２】又、本案の上記駆動レールユニット８の可動レール８ｃはディスク駆動ユニット３或いはトレー１８と別部品になっているが一体で形成する事も可能である。【００２３】又、本案の上記駆動レールユニット８の固定レール８ａはシャーシ４と別部品になっているが一体で形成する事も可能である。【００２４】更に本案は上記駆動レールユニット８のギア８ｄは１個で形成されている例を示すが、複数のギアの組合せにより駆動レール８ｂと可動レール８ｃの送り量の比を変え、ディスクを取出す位置まで可動レール８ｃを移動させるのに必要な駆動レール８ｂの送り量を変える事も可能である。【００２５】尚、本発明は上記実施例の様な光ディスク装置に限らず、他のディスク装置、例えば光磁気ディスク、磁気ディスク等にも適用される。
【発明の効果】
【００２６】本発明による光ディスク装置では、駆動レールをローディングモータにより駆動しその力を駆動レールに取り付けられているギアを通して可動レールに伝える事により、従来のノートブック用光ディスクドライブと外形は同じでありながらローディングを非常に使いやすく商品価値の高いフルオートローディングで達成する事ができる。
【００２７】又、従来のトレー式のフルオートローディングでありながら、固定レール駆動レール可動レールを介してトレーを保持し、且つ駆動レールをローディングモータにより駆動しその力を駆動レールに取り付けられているギアを通して可動レールに伝える事により、ノートブック用光ディスクドライブにも使用できる様な薄型小型軽量のドライブが達成できる。
【図面の簡単な説明】
【図１】本発明のディスク駆動ユニットが引き出された状態の斜視図
【図２】本発明のディスク駆動ユニットが引き出された状態の平面図
【図３】本発明のディスク駆動ユニットが収納された状態の平面図
【図４】本発明の駆動レールユニットの分解斜視図
【図５】本発明のトレーが引き出された状態の平面図
【図６】本発明のトレーが収納された状態の平面図
【図７】本発明のターンテーブルがクランパーから外された状態の側面図
【符号の説明】
１光ディスク装置
２ディスク
３ディスク駆動ユニット
４シャーシ
５ターンテーブル
６ローディングモータ
７ローディングギアユニット
８駆動レールユニット
９補助レールユニット
１０回路基板
１１フレキシブル基板
１２スイッチ
１３スイッチ
１４スイッチレバー
１５ベゼル
１６イジェクトスイッチ
１７ピックアップ
１８トレー
１９ディスク駆動ユニット
２０レバー
２１クランパー
【図１】
2006040507.tif 000003
【図２】
2006040507.tif 000004
【図３】
2006040507.tif 000005
【図４】
2006040507.tif 000006
【図５】
2006040507.tif 000007
【図６】
2006040507.tif 000008
【図７】
2006040507.tif 000009
【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
記録媒体としてのディスクに信号を記録し、又再生媒体としてのディスクの信号を再生する為のディスク駆動ユニットとディスク駆動ユニットをローディングする為のローディングモータとローディングモータの力を減速し駆動レールユニットに伝えるローディングギアユニットとディスク駆動ユニットを保持し且つローディングモータの力をディスク駆動ユニットへ伝える為の駆動レールユニットよりなる光ディスク装置
【請求項２】
記録媒体としてのディスクに信号を記録し、又再生媒体としてのディスクの信号を再生する為のディスク駆動ユニットとディスクを載せる為のトレーとトレーをローディングする為のローディングモータとローディングモータの力を減速し駆動レールユニットに伝えるローディングギアユニットとトレーを保持し且つローディングモータの力をトレーへ伝える為の駆動レールユニットとローディングモータの力によりローディングギアユニットを通してディスク駆動ユニットを上下動する機構を持つ光ディスク装置
【請求項３】
装置の奥行きを抑えながら片側にディスク駆動ユニットやトレーを保持する為の固定レール、可動レール、中間レールを有し、もう一方に固定レール、駆動レール、可動レールを有し、駆動レールのラック及び駆動レールに取り付けられているギアを通しローディングモータの力をディスク駆動ユニットやトレーに伝える構造を特徴とする上記請求項１，２の光ディスク装置
【請求項４】
記録媒体としてのディスクに信号を記録し、又再生媒体としてのディスクの信号を再生する為のディスク駆動ユニットをシャーシ手前右或いは左によせて配置し、ピックアップをディスク駆動ユニットの手前右或いは左斜めに配置し、回路基板をシャーシの奥に配置し、ターンテーブルとピックアップにぶつからないよう中央から後ろと手前斜め右或いは左に穴が開いている、ディスクを載せる為のトレーをシャーシ上部に配置し、トレーをローディングする為のローディングモータとローディングモータの力を減速し駆動レールユニットに伝えるローディングギアユニットとトレーを保持し且つローディングモータの力をトレーへ伝える為の駆動レールユニットとローディングモータの力によりローディングギアユニットを通してディスク駆動ユニットを上下動する機構をシャーシ左或いは右に持つ光ディスク装置
【手続補正２】
【補正対象書類名】明細書
【補正対象項目名】０００１
【補正方法】変更
【補正の内容】
【０００１】この発明はノートブックパソコンや小型薄型のビデオレコーダ等に使用されるコンパクトで軽量な光ディスクドライブ装置であって、ローディング方式は手動操作によらないモータ駆動によるフルオートローディングに関するものである。
【手続補正３】
【補正対象書類名】明細書
【補正対象項目名】０００３
【補正方法】変更
【補正の内容】
【０００３】又、従来のデスクトップパソコン或いはビデオディスクレコーダ用の光ディスクドライブは、ディスクを取り出したり装填する時はトレーをモータによりディスクを載置できる所まで引き出し、押し入れる様になっている。しかしトレーは引き出された時でも本装置に保持されなくてはならない為、本装置の奥行きは最低ディスクの径プラストレーの保持長さが必要となり奥行きが非常に長くなるものであった。
又、ピックアップがシャーシの横方向ほぼ中央のターンテーブルの後ろに、ディスク駆動ユニットがシャーシ中央に大きく、長く配置されていた。その為、回路基板はシャーシの後ろに配置できなくなり、シャーシの下或いは上に配置され、その結果、装置が厚く、大きく、重くなっていた。又、シャーシの横方向中央にディスク駆動ユニットが配置されている為、シャーシの横にローディングモータ、ローディングギアユニット、ディスク駆動ユニットを上下動する機構を配置しずらいという問題が有った。
【手続補正４】
【補正対象書類名】明細書
【補正対象項目名】０００７
【補正方法】変更
【補正の内容】
【０００７】請求項２の発明は記録媒体としてのディスクに信号を記録し、又再生媒体としてのディスクの信号を再生する為のディスク駆動ユニットとディスクを載せる為のトレーとトレーをローディングする為のローディングモータとローディングモータの力を減速し駆動レールユニットに伝えるローディングギアユニットとトレーを保持し且つローディングモータの力をトレーへ伝える為の駆動レールユニットとローディングモータの力によりローディングギアユニットを通してディスク駆動ユニットを上下動する機構を持つ光ディスク装置を提供するものである。
又、請求項４の発明は、記録媒体としてのディスクに信号を記録し、又再生媒体としてのディスクの信号を再生する為のディスク駆動ユニットをシャーシ手前右或いは左によせて配置し、ピックアップをディスク駆動ユニットの手前右或いは左斜めに配置し、回路基板をシャーシの奥に配置し、ターンテーブルとピックアップにぶつからないよう中央から後ろと手前斜め右或いは左に穴が開いている、ディスクを載せる為のトレーをシャーシ上部に配置し、トレーをローディングする為のローディングモータとローディングモータの力を減速し駆動レールユニットに伝えるローディングギアユニットとトレーを保持し且つローディングモータの力をトレーへ伝える為の駆動レールユニットとローディングモータの力によりローディングギアユニットを通してディスク駆動ユニットを上下動する機構をシャーシ左或いは右に持つ請求項２の光ディスク装置を提供するものである。
【手続補正５】
【補正対象書類名】明細書
【補正対象項目名】００１６
【補正方法】変更
【補正の内容】
【００１６】図５は本装置１の天板（図示せず）を外して、トレー１８を引き出した状態を示し、図６はトレー１８を本装置１の中に収納した状態を示す。
図５において、シャーシ４にはディスク駆動ユニット１９が右手前に上下動可能に配置されている。ディスク駆動ユニット１９にはスピンドルモータ（図示せず）が設けられており、クランパー２１によりディスク２をクランプするターンテーブル５がスピンドルモータ（図示せず）に取り付けられている。又、ディスク２の信号を読み取り、書き込む為のピックアップ１７がターンテーブル５の手前斜め右に設けられている。
又、シャーシ４の奥には、ディスク駆動ユニット１９が手前に配置されている為、回路基板１０の配置が可能になっている。そして、コネクタ（図示せず）を通して外部との信号の入出力が行なわれる。又、回路基板１０にはトレー１８を引き出した時と本装置１内に収納された時に働くスイッチ１２，１３が取り付けられている。その為、スイッチへの配線をしなくて良くコンパクトにまとめられている。
ディスク駆動ユニット１９はシャーシの右に配置されている為、左側のあいたスペースにローディングモータ６、ローディングギアユニット７及び駆動レールユニット８の固定レール８ａが固定されている。又、シャーシ４の右側には、補助レールユニット９の固定レール９ａが固定されている。
又、シャーシ４の上部にはトレー１８がＡ，Ｂ方向へ移動可能なように配置されている。そして、トレー１８にはターンテーブル５とピックアップ１７にぶつからないよう中央から後ろと手前斜め右に穴が開いている
これらの配置により、本装置１の奥行き、巾、高さ共大幅に小さく、軽くする事が可能となった。
勿論、これらの配置は、左右逆の構造も可能となっている。
【手続補正６】
【補正対象書類名】明細書
【補正対象項目名】００２７
【補正方法】変更
【補正の内容】
【００２７】又、従来のトレー式のフルオートローディングでありながら、固定レール駆動レール可動レールを介してトレーを保持し、且つ駆動レールをローディングモータにより駆動し、その力を駆動レールに取り付けられているギアを通して可動レールに伝える構造、及びディスク駆動ユニット、回路基板、ローディング機構の配置により、従来の光ディスク装置の１／４程度の体積、重量を達成する事ができる。そして、この装置により、コンパクトで軽いビデオディスクレコーダやデスクトップパソコンやノートブックパソコンが可能になる。